(57)【要約】【課題】従来の加湿装置の給水タンクは蓄える水の残量を確認し易いように透明度の高い樹脂材料で構成しているが、蓄える水も透明のため視認性が劣り目視による残量把握がし辛かったために、より残量の把握し易い給水タンク用残水表示方法を提供する。【解決手段】給水タンク６の内部に水中に浮遊する浮力を有した浮遊体８を１個以上配置することで、使用者は給水タンクの外郭を通して水中に浮遊した浮遊体８を容易に目視確認することができ、この外部から目視できる浮遊体８により給水タンク６中の水全体の視認性が改善するために給水タンクの６の内部に蓄えた水の残量をより使用者が把握し易い加湿装置の給水タンク用残水表示方法を提供することができる。【選択図】図１
2008116157.tif 000002
【特許請求の範囲】
【請求項１】
水を蒸発させて送風ファンの送風で室内に分散させることで加湿を行う加湿装置用の透明あるいは半透明で中空形状の外郭の内部に加湿のための水を蓄え、この内部に蓄えた水の残水の状態を使用者が目視確認できるように構成された給水タンクにおいて、この給水タンクの内部に水中に浮遊する浮遊体を１個以上配置したことを特徴とする加湿装置の給水タンク用残水表示方法。
【請求項２】
浮遊体の表面を目視認識し易い色としたことを特徴とする請求項１記載の加湿装置の給水タンク用残水表示方法。
【請求項３】
浮遊体に光エネルギーを蓄えてこの蓄えた光エネルギーにより可視光線を発して光る蓄光材を備えたことを特徴とする請求項１記載の加湿装置の給水タンク用残水表示方法。
【請求項４】
浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と周囲の明るさを検知し検知した明るさが規定値に対して暗いときには蓄電手段に蓄えた電力を電力制御手段を介して浮遊体発光手段に供給する照度検知手段を備えた請求項１記載の加湿装置の給水タンク用残水表示方法。
【請求項５】
浮遊体発光手段を点灯時に明滅させることを特徴とした請求項１および請求項４記載の加湿装置の給水タンク用残水表示方法。
【請求項６】
浮遊体発光手段の明滅のパターンを１／ｆ揺らぎで明るさを変化させることを特徴とした請求項５記載の加湿装置の給水タンク用残水表示方法。
【請求項７】
浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と給水タンク中の水の有無を検知して渇水を検知したときには蓄電手段に蓄えた電力を電力制御手段を介して浮遊体発光手段に供給する加湿水検知手段を備えた請求項１記載の加湿装置の給水タンク用残水表示方法。
【請求項８】
浮遊体を紫外線光の照射を受けると可視光線を発して光る蛍光材で覆い、この浮遊体を給水タンクの外部から紫外線光で照らすための紫外線光照射手段を備えた請求項１記載の加湿装置の給水タンク用残水表示方法。
【請求項９】
浮遊体を水中に浮遊した状態で動かす浮遊体駆動手段を備えた請求項１記載の加湿装置の給水タンク用残水表示方法。
【請求項１０】
浮遊体の形状を植物や動物の自然形状、あるいは潜水艦等の人工物の具象形状としたことを特徴とする請求項１記載の加湿装置の給水タンク用残水表示方法。
【請求項１１】
浮遊体の表面を撥水性材で覆った請求項１記載の加湿装置の給水タンク用加湿水表示構造。
【請求項１２】
浮遊体の表面を細菌等の繁殖を抑制する抗菌材で覆った請求項１記載の加湿装置の給水タンク用残水表示方法。
【請求項１３】
浮遊体の表面を太陽光や蛍光灯光に含まれる紫外線光の照射を受けると有機物の分解作用を発揮する光触媒材で覆った請求項１記載の加湿装置の給水タンク用残水表示方法。
【発明の詳細な説明】
【技術分野】
【０００１】
本発明は、加湿装置に対して加湿のための水を蓄えて供給する給水タンクの残水表示の構成に関する。
【背景技術】
【０００２】
近年、住宅やオフィスの高気密化とエアコンの普及により、特に冬場等の室内環境は乾燥傾向にあり、呼吸器系の疾患や室内埃の蔓延を原因としたアレルギー疾患も増加傾向にあり、室内空気乾燥の改善に対する関心が高まりつつある。このような乾燥傾向の空質を改善するためには乾燥空気に加湿を行う加湿装置の使用が効果的であり、多種多様な機能を備えた製品が販売されているが、可搬設置型の一般的な加湿装置においては給水タンクの内部に蓄えた加湿のための水を順次使用し蒸発させることで加湿を行っているために給水タンクの水が消費され渇水したときには使用者の水の供給が不可欠であるために使用者が水の残量を確認し易い加湿装置への要求が高まってきている。
【０００３】
従来、この種の加湿装置の給水タンクは内部の水の有無を確認し易いように透明もしくは半透明の部材で構成されることが一般的である（例えば、特許文献１参照）。
【０００４】
以下、その加湿装置の給水タンク用残水表示方法について図２７を参照しながら説明する。
【０００５】
ヒーター等の加熱機器類やスイッチ機器類を組み込んだ加湿器本体１００に着脱可能に装着できる構成した給水タンク１０１は構成材料としてはポリスチレン（ＰＳ），ポリカーボネート等の透明樹脂材で中空箱状に形成して、内部に加湿のための水を蓄えるものであった（例えば、特許文献２参照）。
【０００６】
以下、その加湿装置の給水タンク用残水表示方法について図２８を参照しながら説明する。
【０００７】
加湿装置の本体を成す加湿器本体１０２と水を収容する透明容器１０３を備えた給水タンク１０４と、前記加湿器本体１０２の外観部に高さ方向に延びて設けられ前記透明容器１０３の側面に面するタンクの装着壁１０５と、該タンクの装着壁１０５に設けられた開口１０６と、該開口１０６部に設けられた発光体１０７とを備えることで、加湿器本体１０２のタンクの装着壁１０５に透明容器１０３を備えた給水タンク１０４が配置された状態において装着壁１０５に設けられた開口１０６から発光体１０６の光が透明容器１０３の内部へ水平に入射して水を色づかせるとともに透明容器１０３の側面から光が散乱させることでイルミネーション効果によりインテリア性を向上させるものであった。
【特許文献１】特開２００５−１５６０２０号公報
【特許文献２】特開２００５−０５５１２３号公報
【発明の開示】
【発明が解決しようとする課題】
【０００８】
このような従来の加湿装置の給水タンク１０１は内部の水の残量を確認し易いように透明度の高い樹脂材料で構成しているが、内部に蓄えた水も透明であるために給水タンク１０１の内部の水が有る部分と無い部分が同じように見えることとなり水の視認性が劣ることで目視による水の残量が把握し辛い課題があった。
【０００９】
また、装着壁１０５の開口１０６に設けられた発光体１０７により透明容器１０３の内部へ水平方向に一点から光りを照射することで透明容器１０３に蓄えた水を色づかせるとともに光を散乱させるようにした構成においては主に給水タンク１０４の透明容器１０３のイルミネーション効果によるインテリア性を向上させることが目的であるために発光体１０７により照明される範囲は装着壁１０５に設けられた開口１０６部分周囲の水平方向の狭い範囲が主体となり透明容器１０３内部の水を蓄える縦方向の大部分の範囲は発光体１０７の照明の範囲外となるために発光体１０７で透明容器１０３内部の水を照明しているにもかかわらず夜間などの周囲が暗い状況においては給水タンク１０４の全体に渡る水の残量が把握し辛い課題があった。
【００１０】
本発明は、このような従来の課題を解決するものであり、給水タンクの内部に蓄えた水の有る部分の視認性を向上させることで残量をより把握し易い加湿装置の給水タンク用残水表示方法を提供することを目的としている。
【００１１】
また更に夜間などの周囲が暗い状況においても給水タンクの内部に蓄えた水の残量をより把握し易い加湿装置の給水タンク用残水表示方法を提供することを目的としている。
【課題を解決するための手段】
【００１２】
本発明の給水タンク用残水表示方法は上記目的を達成するために水を蒸発させて送風ファンの送風で室内に分散させることで加湿を行う加湿装置用の透明あるいは半透明で中空形状の外郭の内部に加湿のための水を蓄え、この内部に蓄えた水の残水の状態を使用者が目視確認できるように構成された給水タンクにおいて、この給水タンクの内部に水中に浮遊する浮遊体を１個以上配置したものである。
【００１３】
この手段により使用者は給水タンクの内部に蓄えた水中に浮遊した浮遊体を透明あるいは半透明の給水タンクの外郭を通して容易に目視確認できるものである。
【００１４】
また、浮遊体の表面を目視認識し易い色としたものである。
【００１５】
この手段により給水タンクの内部に蓄えた水中に浮遊した浮遊体は透明あるいは半透明の給水タンクの外郭を通してもさらに目視認識性が向上するものである。
【００１６】
また、浮遊体に光エネルギーを蓄えてこの蓄えた光エネルギーにより可視光線を発して光る蓄光材を備えたものである。
【００１７】
この手段により浮遊体は外部から光を受けている状態で蓄光材に光エネルギーを蓄えて、この蓄えた光エネルギーにより可視発光することとなる。
【００１８】
また、浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と周囲の明るさを検知し検知した明るさが規定値に対して暗いときには蓄電手段に蓄えた電力を電力制御手段を介して浮遊体発光手段に供給する照度検知手段を備えたものである。
【００１９】
この手段により浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は点灯することとなる。
【００２０】
また、浮遊体発光手段を点灯時に明滅させることを特徴としたものである。
【００２１】
この手段により浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は明滅することとなる。
【００２２】
また、浮遊体発光手段の明滅のパターンを１／ｆ揺らぎで明るさを変化させることを特徴としたものである。
【００２３】
この手段により浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は１／ｆ揺らぎで明るさが変化して点灯することとなる。
【００２４】
また、浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と給水タンク中の水の有無を検知して渇水を検知したときには蓄電手段に蓄えた電力を電力制御手段を介して浮遊体発光手段に供給する加湿水検知手段を備えたものである。
【００２５】
この手段により浮遊体は外部から光を受けている状態では表面に備えた太陽電池が電力を発生してこの発生した電力は蓄電手段で蓄えられ、また備えた加湿水検知手段により渇水を検知したときには浮遊体発光手段に対して電力制御手段を介して蓄電手段に蓄えた電力が供給されることで浮遊体発光手段は点灯することとなる。
【００２６】
また、浮遊体を紫外線光の照射を受けると可視光線を発して光る蛍光材で覆い、この浮遊体を給水タンクの外部から紫外線光で照らすための紫外線光照射手段を備えたものである。
【００２７】
この手段により蛍光材で覆われた浮遊体のみが水中に浮遊した状態で給水タンクの外部から紫外線光照射手段により紫外線光で照らされることで可視発光することとなる。
【００２８】
また、浮遊体を水中に浮遊した状態で動かす浮遊体駆動手段を備えたものである。
【００２９】
この手段により浮遊体は浮遊体駆動手段により水中に浮遊した状態で動くこととなる。
【００３０】
また、浮遊体の形状を植物や動物の自然形状、あるいは潜水艦等の人工物の具象形状としたことを特徴とするものである。
【００３１】
この手段により浮遊体は自然形状、あるいは人工物の具象形状で抽象的な形体に対して一般的に見慣れた具体性のある形体で水中に浮遊することとなる。
【００３２】
また、浮遊体の表面を撥水性材で覆ったものである。
【００３３】
この手段により表面を撥水性材で覆われた浮遊体は撥水性を有して水中に浮遊した状態においても表面に水が接触し難くなる。
【００３４】
また、浮遊体の表面を細菌等の繁殖を抑制する抗菌材で覆ったものである。
【００３５】
この手段により抗菌材で覆われた浮遊体の表面は抗菌性を有することとなる。
【００３６】
また、浮遊体の表面を太陽光や蛍光灯光に含まれる紫外線光の照射を受けると有機物の分解作用を発揮する光触媒材で覆ったものである。
【００３７】
この手段により光触媒材で覆われた浮遊体の表面は有機物の分解性能を有することとなる。
【発明の効果】
【００３８】
本発明によれば給水タンクの内部に水中に浮遊する１個以上の浮遊体を配置したことで使用者は給水タンク内部の加湿のための水中に浮遊した浮遊体を透明あるいは半透明の給水タンクの外郭を通して容易に目視確認できることとなり、よってこの外部から目視できる浮遊体により給水タンク中の水全体の視認性も間接的に改善されるために給水タンクの内部に蓄えた水の残量をより使用者が把握し易い加湿装置の給水タンク用残水表示方法を提供することができる。
【００３９】
また、浮遊体の表面を目視認識し易い色とすることで給水タンクの内部に蓄えた水中に浮遊した浮遊体は透明あるいは半透明の給水タンクの外郭を通してもさらに目視認識性が向上することとなり、よってこの給水タンクの外部から目視できるより認識し易い浮遊体により給水タンク中の間接的な水全体の視認性もさらに改善されるために給水タンクの内部に蓄えた水の残量をより使用者が把握し易い加湿装置の給水タンク用残水表示方法を提供できる。
【００４０】
また、光エネルギーを蓄えてこの蓄えた光エネルギーにより可視光線を発して光る蓄光材を備えたことで、浮遊体は外部から光を受けている状態においては蓄光材に光エネルギーを蓄えて、この蓄えた光エネルギーにより浮遊体は可視発光することとなり、周囲が暗い状況においてもこの可視発光している浮遊体を使用者は目視確認することができるために、夜間においてもより給水タンクの内部に蓄えた水の残量を把握し易い加湿装置の給水タンク用残水表示方法を提供できる。
【００４１】
また、浮遊体の表面に太陽電池を備えて内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と周囲の明るさを検知し検知した明るさが規定値に対して暗いときには蓄電手段に蓄えた電力を電力制御手段を介して浮遊体発光手段に供給する照度検知手段を備えて浮遊体は外部から光を受けている状態では表面に備えた太陽電池が電力を発生してこの発生した電力は蓄電手段で蓄えまた備えた照度検知手段により検知された周囲の明るさが規定値より暗いときには浮遊体発光手段に対して電力制御手段を介して蓄電手段に蓄えた電力が供給されることで浮遊体発光手段は点灯することとなり、周囲が暗い状態においてもこの発光している浮遊体の上の浮遊体発光手段を使用者は目視確認することができるために、夜間においてもより給水タンクの内部に蓄えた水の残量を把握し易い加湿装置の給水タンク用残水表示方法を提供できる。
【００４２】
また、浮遊体発光手段を点灯時に明滅させることを特徴としたものであり浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は明滅状態で点灯するために使用者の注意をより引きつけることで、周囲が暗い状態においてもこの明滅している浮遊体の上の浮遊体発光手段を使用者は目視確認することができるために夜間においてもさらに給水タンクの内部に蓄えた水の残量を把握し易い加湿装置の給水タンク用残水表示方法を提供できる。
【００４３】
また、浮遊体発光手段の明滅のパターンを１／ｆ揺らぎで明るさを変化させることを特徴としたものであり、浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで１／ｆ揺らぎで明るさが変化して点灯することとなり、周囲が暗い状態においてもこの１／ｆ揺らぎで明るさが変化して点灯している浮遊体の上の浮遊体発光手段を使用者は目視確認することができるために、夜間においてもさらに給水タンクの内部に蓄えた水の残量を把握し易く、且つ周囲が暗い状況で光が明滅することで使用者が感じる眩しさに基づく違和感を緩和した加湿装置の給水タンク用残水表示方法を提供できる。
【００４４】
また、浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と給水タンク中の水の有無を検知して渇水を検知したときには蓄電手段に蓄えた電力を電力制御手段を介して浮遊体発光手段に供給する加湿水検知手段を備えることで、この浮遊体は外部から光を受けている状態では表面に備えた太陽電池が電力を発生してこの発生した電力は蓄電手段で蓄え、また備えた加湿水検知手段により渇水を検知したときには浮遊体発光手段に対して電力制御手段を介して蓄電手段に蓄えた電力が供給されることで浮遊体発光手段は点灯することとなり、渇水発生の状態において点灯する浮遊体の上の浮遊体発光手段を使用者は目視確認することができるために、昼夜の如何を問わず給水タンクの内部に蓄えた水の渇水の状況を把握し易い加湿装置の給水タンク用残水表示方法を提供できる。
【００４５】
また、浮遊体を紫外線光の照射を受けると可視光線を発して光る蛍光材で覆い、この浮遊体を給水タンクの外部から紫外線光で照らすための紫外線光照射手段を備えることで蛍光材で覆われた浮遊体のみが水中に浮遊した状態で給水タンクの外部から紫外線光照射手段により紫外線光で照らされることで可視発光することとなり、周囲が暗い状態においてもこの発光している浮遊体を使用者は目視確認することができるために夜間においてもより安定的に給水タンクの内部に蓄えた水の残量を把握し易い加湿装置の給水タンク用残水表示方法を提供できる。
【００４６】
また、浮遊体を水中に浮遊した状態で動かす浮遊体駆動手段を備えることで浮遊体は水中に浮遊した状態で動くこととなり、水中で停止浮遊している浮遊体に対して浮遊状態で動く浮遊体は使用者が更に目視確認し易くなるために給水タンクの内部に蓄えた水の残量をより把握し易い加湿装置の給水タンク用残水表示方法を提供できる。
【００４７】
また、浮遊体の形状を植物や動物の自然形状、あるいは潜水艦等の人工物の具象形状とすることで浮遊体は抽象的な形体に対して一般的に見慣れた具体性のある形体で水中に浮遊することとなるために使用者の浮遊体の認識性が高まり、よってより給水タンクの内部に蓄えた水の残量を把握し易い加湿装置の給水タンク用残水表示方法を提供できる。
【００４８】
また、浮遊体の表面を撥水性材で覆うことで撥水性材で覆われた浮遊体は撥水性を有することとなり、よって浮遊体が水中に浮遊した状態においても表面に直接的に水が接触し難くなるために浮遊体の表面における水垢の発生を抑制する加湿装置の給水タンク用残水表示方法を提供できる。
【００４９】
また、浮遊体の表面を細菌等の繁殖を抑制する抗菌材で覆うことで浮遊体の表面は抗菌性を有することとなり、よって浮遊体が水中に浮遊した状態においても表面に雑菌が繁殖し難くなるために清潔性をより保つことができる加湿装置の給水タンク用残水表示方法を提供できる。
【００５０】
また、浮遊体の表面を太陽光や蛍光灯光に含まれる紫外線光の照射を受けると有機物の分解作用を発揮する光触媒材で覆うことで浮遊体の表面は有機物の分解性能を有することとなり、よって浮遊体が水中に浮遊した状態においても表面に雑菌が繁殖し難くなるために清潔性をより保つことができる加湿装置の給水タンク用残水表示方法を提供できる。
【発明を実施するための最良の形態】
【００５１】
本発明の給水タンク用残水表示方法は上記目的を達成するために水を蒸発させて送風ファンの送風で室内に分散させることで加湿を行う加湿装置用の透明あるいは半透明で中空形状の外郭の内部に加湿のための水を蓄え、この内部に蓄えた水の残水の状態を使用者が目視確認できるように構成された給水タンクにおいて、この給水タンクの内部に水中に浮遊する浮遊体を１個以上配置することで、使用者がこの水中に浮遊した浮遊体を透明あるいは半透明の給水タンクの外郭を通して容易に目視確認することができる作用を有することとなり、よってこの外部から目視できる浮遊体により給水タンク中の水量の視認性が間接的に改善されるために給水タンクの内部に蓄えた水の残量をより使用者が把握し易くなる。
【００５２】
また、浮遊体の表面を目視認識し易い色とすることで給水タンクの内部に蓄えた水中に浮遊した浮遊体は透明あるいは半透明の給水タンクの外郭を通してもさらに目視認識性が向上することとなり、よってこの給水タンクの外部から目視できるより認識し易い浮遊体により給水タンク中の水全体の視認性もさらに改善されるために給水タンクの内部に蓄えた水の残量をより使用者が把握し易くなる。
【００５３】
また、浮遊体に光エネルギーを蓄えてこの蓄えた光エネルギーにより可視光線を発して光る蓄光材を備えたものであり、浮遊体は外部から光を受けている状態で蓄光材に光エネルギーを蓄えて、この蓄えた光エネルギーにより外部光が遮断された状態においては、可視発光する作用を有することとなり、よって周囲が暗い状態においてもこの可視発光している浮遊体を使用者は目視確認することができるために、夜間においてもより給水タンクの内部に蓄えた水の残量が把握し易くなる。
【００５４】
また、浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と周囲の明るさを検知し検知した明るさが規定値に対して暗いときには蓄電手段に蓄えた電力を電力制御手段を介して浮遊体発光手段に供給する照度検知手段を備えたものであり、浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は点灯する作用を有することとなり、よって周囲が暗い状態においてもこの発光している浮遊体の上の浮遊体発光手段を使用者は目視確認することができるために、夜間においてもより給水タンクの内部に蓄えた水の残量が把握し易くなる。
【００５５】
また、浮遊体発光手段を点灯時に明滅させるものであり、浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は明滅する作用を有することとなり、よって周囲が暗い状態においてもこの明滅している浮遊体の上の浮遊体発光手段を使用者は目視確認することができるために夜間においてもさらに給水タンクの内部に蓄えた水の残量が把握し易くなる。
【００５６】
また、浮遊体発光手段の明滅のパターンを１／ｆ揺らぎで明るさを変化させるものであり、浮遊体は外部から光を受けている状態では表面に備えた太陽電池が電力を発生してこの発生した電力は蓄電手段で蓄えられ、また備えた照度検知手段により検知された周囲の明るさが規定値より暗いときには浮遊体発光手段に対して電力制御手段を介して蓄電手段に蓄えた電力が供給されることで浮遊体発光手段は１／ｆ揺らぎで明るさが変化して点灯する作用を有することとなり、よって周囲が暗い状態においてもこの１／ｆ揺らぎで明るさが変化して点灯している浮遊体の上の浮遊体発光手段を使用者は目視確認することができるために、夜間においてもさらに給水タンクの内部に蓄えた水の残量を把握し易く、且つ周囲が暗い状況で光が明滅することで使用者が感じる眩しさに基づく違和感を緩和することができる。
【００５７】
また、浮遊体の表面に太陽電池を備えて、内部にこの太陽電池の発生した電力を蓄える蓄電手段とこの蓄えられた電力を供給することで点灯する浮遊体発光手段とこの浮遊体発光手段に対して蓄電手段の蓄えた電力の供給を入り切りする電力制御手段と給水タンク中の水の有無を検知して渇水を検知したときには蓄電手段に蓄えた電力を電力制御手段を介して浮遊体発光手段に供給する加湿水検知手段を備えたものであり、浮遊体は外部から光を受けている状態では表面に備えた太陽電池が電力を発生してこの発生した電力は蓄電手段で蓄えられ、また備えた加湿水検知手段により渇水を検知したときには浮遊体発光手段に対して電力制御手段を介して蓄電手段に蓄えた電力が供給されることで浮遊体発光手段は点灯する作用を有することとなり、よって渇水発生の状態において点灯する浮遊体の上の浮遊体発光手段を使用者は目視確認することができるために、昼夜の如何を問わず給水タンクの内部に蓄えた水の渇水の状況が把握し易くなる。
【００５８】
また、浮遊体を紫外線光の照射を受けると可視光線を発して光る蛍光材で覆い、この浮遊体を給水タンクの外部から紫外線光で照らすための紫外線光照射手段を備えることで蛍光材で覆われた浮遊体のみが加湿のための水中に浮遊した状態で給水タンクの外部から紫外線光照射手段により紫外線光で照らされることで可視発光する作用を有することとなり、よって周囲が暗い状態においてもこの発光している浮遊体を使用者は目視確認することができるために夜間においてもより安定的に給水タンクの内部に蓄えた水の残量が把握し易くなる。
【００５９】
また、浮遊体を水中に浮遊した状態で動かす浮遊体駆動手段を備えたものであり、浮遊体駆動手段により浮遊体は加湿のための水中に浮遊した状態で動く作用を有することとなり、よって水中で停止浮遊している浮遊体に対して浮遊状態で動く浮遊体は使用者が更に目視確認し易くなるために給水タンクの内部に蓄えた水の残量がより把握し易くなる。
【００６０】
また、浮遊体の形状を植物や動物の自然形状、あるいは潜水艦等の人工物の具象形状としたものであり浮遊体は自然形状、あるいは人工物の具象形状で抽象的な形体に対して一般的に見慣れた具体性のある形体で加湿のための水中に浮遊する作用を有することとなり、よってより給水タンクの内部に蓄えた水の残量が把握し易くなる。
【００６１】
また、浮遊体の表面を撥水性材で覆ったものであり、表面を撥水性材で覆われた浮遊体は撥水性を有して加湿のための水中に浮遊した状態においても表面に水が接触し難くなる作用を有することとなり、よって浮遊体が水中に浮遊した状態においても表面に直接的に水が接触し難くなるために浮遊体の表面における水垢の発生を抑制することができる。
【００６２】
また、浮遊体の表面を細菌等の繁殖を抑制する抗菌材で覆ったものであり抗菌材で覆われた浮遊体の表面は抗菌性を持つ作用を有することとなり、よって浮遊体が水中に浮遊した状態においても表面に雑菌が繁殖し難くなるために清潔性をより保つことができる。
【００６３】
また、浮遊体の表面を太陽光や蛍光灯光に含まれる紫外線光の照射を受けると有機物の分解作用を発揮する光触媒材で覆うことで浮遊体の表面は有機物を分解する機能を持つ作用を有することとなり、よって浮遊体が水中に浮遊した状態においても表面に雑菌が繁殖し難くなるために清潔性をより保つことができる。
【００６４】
以下、本発明の実施の形態について図面を参照しながら説明する。
【００６５】
なお同一の機能の構成には同一の図番を振り以降の詳細な説明は省くものとする。
【００６６】
（実施の形態１）
図１から図３に示すように、加湿装置の本体を成すの箱状で中空の本体外郭１の内部に外気を吸気して送風を行う送風装置２とこの送風装置２の送風空気を本体外郭１の外部に吹き出す吹き出し口３と加湿のための水を保持する加湿水皿４とこの加湿水皿４の中に保持した水に一部が浸り毛細管現象で水を吸い上げる多口質状の加湿フィルター５とこの加湿フィルター５に対して前記送風装置２からの送風空気を当てて加湿フィルター５に吸い上げられた水を自然蒸発させて送風空気の流れに乗せて吹き出し口３から本体外郭１の外部に吹き出すことで加湿を行う加湿装置において加湿のための水を蓄えて加湿の推進により蒸発によって加湿水皿４から失われた水を加湿水皿４に供給する給水タンク６が加湿水皿４に対して取り外し自在に係着し定位置に配置する構成としている。
【００６７】
ここで、給水タンク６は中空形状でポリエチレンやポリエチレン・テレフタレート等の軽量で透明、もしくは半透明の樹脂材で構成し外部から内部に蓄えた加湿のための水の有無や残量が確認できるように構成したものであり、また給水タンク６は一端に設けられた開口部６ａが加湿水皿４に保持された水の水面に浸かるように挿着し配置される構成であり、この水面が加湿動作の進行に伴い低下し、給水タンク６の開口部６ａと水面の間に隙間が生じると加湿タンク６の内部に空気が侵入することにより開口部６ａと水面間の隙間が解消されるまでの間給水タンク６から加湿水皿４に対し水が供給される、一般的な自動給水方式で構成したものである。
【００６８】
また、この給水タンク６は加湿皿４に対して係着して配置された状態において使用者が外部から目視確認できるように本体外郭１の一部を開放状態とした加湿水確認開口７を設けているものであり、給水タンク６中の水の残量や有無は給水タンク６の透明あるいは半透明の外郭を透過して加湿水確認開口７を通して使用者が目視確認できるように構成しているものである。またこの給水タンク６の内部には水中に浮遊する浮力を有した浮遊体８を１個以上、内蔵して配置（図１から図３上、一点鎖線で全体を囲み指示）している。
【００６９】
ここで、浮遊体８は軽量で耐水性がある樹脂を基材として構成したものであり、例えばＡＢＳ樹脂やポリエチレン樹脂を成形して作成するものであり、内部に空間を設けて水中で浮遊するように浮力を調節したものである。この点、内部に密閉した空間を設けて浮力を調整すること樹脂材以外の水よりも比重が大きい材料でも構成することもできる。
【００７０】
また、浮遊体８は給水タンク６の内部に蓄えられた水中に浮遊した状態で給水タンク６の透明あるいは半透明の外郭を透過しても使用者が認識し易いように明るめの色調（例えば白色や黄色や橙色、または蛍光色）や目立つ色調（例えば金色や銀色）の樹脂で成形あるいは着色するものである。
【００７１】
上記構成により、加湿の進行により加湿水皿４の中に保持した水が加湿フィルター５に吸い上げられて送風装置２からの送風空気により自然蒸発して失われていくと加湿水皿４に対して取り外し自在に係着し配置している給水タンク６の内部に蓄えられた水が自然に加湿水皿４に供給され順次加湿の進行に合わせて給水タンク６の中の水は減っていくこととなり、この加湿水の減少に伴い給水タンク６の中の水中に浮遊した浮遊体８の位置も全体に低下していくこととなり、この浮遊体８の位置を透明あるいは半透明の給水タンク６の外郭を透過して加湿装置の本体外郭１の加湿水確認開口７を通して使用者は目視確認することで給水タンク６の内部に蓄えた水の残量を間接的に把握することができることとなる。
【００７２】
また、浮遊体８を使用者が認識し易いような明るめの色調や目立つ色調とすることで給水タンク６の外郭を透過して見える浮遊体８を使用者がさらに認識し易くなるために、よって給水タンク６の内部に蓄えた水の残量もさらに把握し易やすくできるものである。
【００７３】
なお、給水タンク６の開口部６ａは使用者が内部を清掃できるように内部に手が入る程度の開口を開けた構成とすることが一般的であるが、開口部６ａに浮遊体８の大きさに対して目の細かい網板材等を契合自在として取り外しを可能とした構成とすることで清掃以外の通常の給水作業や不要な水の排水作業のときに給水タンク６に内蔵した浮遊体８が外部に流れ出さないようすることも可能であり、より使用感を向上させることができることは言うまでもない。
【００７４】
また、図４に示すように浮遊体８の構成基材８ａを外部から受けた光エネルギーを蓄えて発光する蓄光材９にて覆った構成とすることもできる。
【００７５】
ここで、蓄光材９は蛍光性硫化亜鉛を主剤とした顔料を樹脂材料中に分散させることで太陽光線や蛍光灯の光に含まれる紫外線光を受けるとこの受光した光エネルギーを内部に蓄えて、可視光の形態で再放出する機能を有した一般的な蓄光性樹脂を使用するものである。
【００７６】
ここで、浮遊体８の構成基材８ａは前記で説明したように軽量で耐水性があり水よりも比重が小さい樹脂を選定するものであり、例えばＡＢＳ樹脂やポリエチレン樹脂を使用したものである。
【００７７】
上記構成により、この蓄光材９で構成基材８ａを覆い成形して構成した浮遊体８は昼間の太陽光や夜間の蛍光灯等の光を受けている状態では蓄光材９に光エネルギーが蓄えられて、夜間の照明が消された状態においては蓄光材９に蓄えられた光エネルギーを放出して可視光にて発光することで使用者はこの発光している浮遊体８を目視確認することが可能となるために夜間の周囲が暗い状態においても給水タンク６の内部に蓄えた水の残量を把握し易くすることができる。
【００７８】
なお、浮遊体８の構成基材８ａそのものを水に浮く浮力を有した蓄光材９である蓄光性樹脂で作成しても同様の効果を果たせることは言うまでもない。
【００７９】
また、図５から図７に示すように浮遊体８の表面に光りのエネルギーを電気電力に変換する太陽電池１０を備えて浮遊体８の内部にこの太陽電池１０の発生した電力を蓄える蓄電手段１１とこの蓄えられた電力を供給することで点灯する浮遊体発光手段１２とこの浮遊体発光手段１２に対して蓄電手段１１の蓄えた電力の供給を入り切りする電力制御手段１３と周囲の明るさを検知しこの検知した明るさが規定値に対して暗いときには蓄電手段１１に蓄えた電力を電力制御手段１３を介して浮遊体発光手段１２に供給する照度検知手段１４を備えた構成とすることもできる。
【００８０】
ここで、太陽電池１０は入射光に対する発電能力の優れた単結晶シリコンや多結晶シリコンの太陽電池や、または蛍光灯の光でも比較的発電能力が高いアモルファスシリコン型の太陽電池を使用するものである。
【００８１】
ここで、照度検知手段１４はマイクロコンピューター１５と周囲の明るさを電圧信号に変化させる照度センサー１６とから構成したものであり、照度センサー１６が検知し電圧信号に変化した周囲の明るさの情報をマイクロコンピューター１５の入力端子で読み込みマイクロコンピューター１５でこの読み込まれた電圧信号値と予め規定した電圧値をソフトウェアーに基づいて比較することで周囲の明るさを判断するものであり、マイクロコンピューター１５はこの判断結果に基づいて出力端子の電圧出力状態を変化するようにプログラミングしているものである。
【００８２】
ここで、マイクロコンピューター１５は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターを使用するものである。
【００８３】
なお、マイクロコンピューター１５の電源も蓄電手段１１の電力を使用するものであり詳細の説明は省くが蓄電手段１１の電力を一般的な安定化電源回路１７により安定化して供給することで動作させるものである。
【００８４】
ここで、照度センサー１６は照度の変化により素子の抵抗値が変化するＣＤＳや照度の変化を電流値の変化に変換するフォトトランジスターや、またこのフォトトランジスターの出力をトランジスターや演算増幅回路で増幅したフォトセンサーを使用するものである。
【００８５】
ここで、浮遊体発光手段１２は低消費電力の使用においても十分な輝度が得られ認識性も高い発光ダイオードを使用するものである。
【００８６】
ここで、電力制御手段１３はマイクロコンピューター１５の出力端子の電圧状態の変化で浮遊体発光手段１２を成す発光ダイオードへの電力印加を入り切りするものであり一般的なトランジスターで構成したものである。
【００８７】
ここで、蓄電手段１１は繰り返しの充放電の使用で性能低下の少ないニッケル水素あるいはリチウムイオンタイプの２次電池、または繰り返しの充放電において性能が劣化しない電気二重層キャパシタを使用するものである。
【００８８】
なお浮遊体８は内蔵する太陽電池１０や照度センサー１６に対する光の入射を遮らず、また浮遊体発光手段１２の発した光が効率よく浮遊体８の周囲に透過するように透明で、水の浸入を防止して内蔵する各手段を保護できるようにポリエチレン・テレフタレートやアクリル等の透明で耐水性の高い樹脂で内部を密封した構造で成形するものである。
【００８９】
次に図８に基づいて上記のように構成した浮遊体８に内蔵された照度検知手段１４の動作仕様を説明する。図８は照度検知手段１４の主体を成すマイクロコンピューター１５のソフトウェアーで記述した制御仕様をグラフ化したチャート図である。図上、ラインＬ１は浮遊体８の周囲の明るさ（上方向が高照度）を示し、ラインＬ２は照度センサー１６が周囲の明るさを検知して出力した電気信号をマイクロコンピューター１５で読み取った値（上方向が高照度検知状態）を示し、ラインＬ３はマイクロコンピューター１５で判断する周囲の明るさを規定した閾値（同ラインに対してラインＬ２が下回れば周囲が暗い状態であると判断）を示し、またラインＬ４はマイクロコンピューター１５で周囲の明るさを判断した結果マイクロコンピューター１５の出力端子から電力制御手段１３に対して出力される電圧信号の変化（上方向で浮遊体発光手段１２の点灯を実施）の時間経過に対する推移を示している。
【００９０】
図８に示しているように浮遊体８の周囲の明るさがラインＬ１のように順次低下して暗くなっていくと照度センサー１６が周囲の明るさを検知した結果出力した電気信号をマイクロコンピューター１５で読み取った値もラインＬ２のように順次低下して、このマイクロコンピューター１５に読み取られた周囲の明るさの値がソフトウェアー的に予め規定している図上、ラインＬ３で示す閾値に対して低下するとマイクロコンピューター１５で周囲が暗い状態を判断する。
【００９１】
この判断の結果、マイクロコンピューター１５でさらに浮遊体発光手段１２の点灯を判断してマイクロコンピューター１５の電力制御手段１３を制御する出力端子から電圧信号を出力して電力制御手段１３を介して浮遊体発光手段１２に対して太陽電池１０にて充電された蓄電手段１１の電力を印加するように制御することで浮遊体発光手段１２は点灯することとなる。
【００９２】
なお、マイクロコンピューター１５に読み取られた周囲の明るさの値に対するソフトウェアー的に予め規定している閾値は使用する照度センサー１６が実際の周囲の明るさを検知した状態において浮遊体発光手段１２を点灯させたほうがより使用者が浮遊体８を認識し易いかどうかを確認することで実験的に決定するものである。
【００９３】
なお、周囲が明るい状態でマイクロコンピューター１５が読み取った照度センサー１６が出力した電気信号の値がソフトウェアー的に予め規定している閾値に対して高い値で有ればマイクロコンピューター１５で周囲が暗い状態ではないとの判断を実施して電力制御手段１３を介した浮遊体発光手段１２に対する蓄電手段１１からの電力印加も停止することで浮遊体発光手段１２を点灯させるための電力が消費されず、この状況において太陽電池１０で生じた電力は蓄電手段１１に蓄えられることとなる。
【００９４】
上記構成により、周囲が明るい状態においては浮遊体８の表面に備えた太陽電池１０が光りのエネルギーを変換することで発生した電力を蓄電手段１１に蓄えて周囲が暗い状況となり照度検知手段１４を構成するマイクロコンピューター１５で浮遊体発光手段１２の点灯を判断したときには蓄電手段１１に蓄えた電力を電力制御手段１３を介して浮遊体発光手段１２に供給することで浮遊体発光手段１２を構成する発光ダイオードが点灯し使用者はこの発光している浮遊体８上の浮遊体発光手段１２を目視確認することが可能となるために夜間の周囲が暗い状態においても給水タンク６の内部に蓄えた水の残量をさらに把握し易くすることができる。
【００９５】
なお、ここでは電力の発生源として太陽電池１０を使用しているが一般的な乾電池等の一次電池を防水構成として太陽電池１０と蓄電手段１１に変えて浮遊体に内蔵することでも同様の作用効果を果たせることは言うまでもない。
【００９６】
また、図９に示すように浮遊体発光手段１２を点灯時に明滅させることもできる。図９は図８と同様に照度検知手段１４の主体を成すマイクロコンピューター１５のソフトウェアーで記述した制御仕様をグラフ化したチャート図であり、図８の制御仕様に対して、ラインＬ４ａで示しているマイクロコンピューター１５で周囲が暗い状態であることを判断したときにマイクロコンピューター１５の出力端子から電力制御手段１３に対して出力される電圧信号を矩形化して変化（上方向で浮遊体発光手段１２の点灯判断）させる点が異なっているものである。このソフトウェアーで記述した制御仕様により周囲が暗い状況で浮遊体発光手段１２を点灯させる必要があるときには浮遊体発光手段１２は点滅状態で点灯することとなる。
【００９７】
なお、図９上においてｔ１とｔ２で示している浮遊体発光手段１２の点灯の時間と点滅の間隔は周囲の明るさが暗い状態でより使用者が浮遊体８を認識し易いことと周囲が暗い状況において点滅する光に対して使用者にできる限り煩わしさを感じさせない点を考慮して設定すべきものであり、ここでは安静時の成人の一般的な呼吸回数である１分間に１２〜２０回の頻度に合わせて点滅させるものとして点灯時間となるｔ１は約１秒間、消灯時間となるｔ２は３〜５秒間で設定するものである。
【００９８】
また、この浮遊体発光手段１２の点灯判断時の明滅のパターンを図１０と図１１に示すように１／ｆ揺らぎで明るさを変化させることもできる。図１０は図８と同様に照度検知手段１４の主体を成すマイクロコンピューター１５のソフトウェアーで記述した制御仕様をグラフ化したものでありマイクロコンピューター１５で周囲の明るさを判断した結果マイクロコンピューター１５の出力端子から電力制御手段１３に対して出力される電圧信号の変化（上方向で浮遊体発光手段１２の点灯判断）の形態とその結果に基づく浮遊体発光手段１２の見かけ上の明るさの状態をグラフ化したチャート図であり、図８の制御仕様に対してラインＬ４ｂで示している周囲が暗い状態であることを判断したときのマイクロコンピューター１５の出力端子から電力制御手段１３に対して出力される電圧信号をパルス化してそのパルス信号の粗密の間隔を変化させることで浮遊体発光手段１２の光の点灯を点滅ではなく使用者の目の残像によって見かけ上、順次明るさが変化しているように感じるようにソフトウェアーで制御する点が異なっているものである。図１０上ラインＬ５はこの浮遊体発光手段１２の明るさが見かけ上変化している状態を示しているものである。ここでも浮遊体発光手段１２の点灯の時間と点滅の間隔は周囲の明るさが暗い状態でより使用者が浮遊体８を認識し易いことと点滅する光に対して使用者にできるだけ煩わしさを感じさせない点を考慮して人間が自然現象の変化において心地良さを感じる基本原理の一つと一般的に知られている１／ｆ揺らぎ理論に基づいて図１１に示すように浮遊体発光手段１２の見かけ上の輝度が高い程、点灯時間が短くなるようにパルス信号の時間当たりの間隔を短く制御して、且つ明滅時の光度が急激に変化しないようにパルス信号の発生間隔を順次短縮および拡張させることで明るさの変化を緩慢にして、さらに明滅の間隔を図１０においてｔ２ａで示しているように安静時の成人の一般的な呼吸回数である１分間に１２〜２０回の頻度に合わせて３〜５秒間隔で変化させることで周囲が暗い状況において浮遊体発光手段１２の明滅により使用者が受ける光の刺激をできる限り低減することで夜間の周囲が暗い状態においても給水タンク６の内部に蓄えた水の残量をさらに把握し易くすることができる。
【００９９】
また、図１２から図１５に示すように浮遊体８の表面に光りのエネルギーを電気電力変換する太陽電池１０を備えて浮遊体８の内部にこの太陽電池１０の発生した電力を蓄える蓄電手段１１とこの蓄えられた電力を供給することで点灯する浮遊体発光手段１２とこの浮遊体発光手段１２に対して蓄電手段１１の蓄えた電力の入り切りを切り替える電力制御手段１３と加湿のための水の有無を検知して渇水を検知したときには蓄電手段１１に蓄えた電力を電力制御手段１３を介して浮遊体発光手段１２に供給する加湿水検知手段１８を備えた構成とすることもできる。
【０１００】
ここで、加湿水検知手段１８は浮遊体８の内部に浮遊体８の外部と隔絶されて配置した磁力の有無で接点が閉開するリードスイッチ１９とこのリードスイッチ１９と隔絶した浮遊体８の一部に加湿用の水が導通可能なように上下方向を開口したフロート空間２０とこのフロート空間２０の外部には取り出せないサイズで且つフロート空間２０の内部で可動自在で動き水中に浮遊する浮力を有したフロート２１とこのフロート２１の周囲にリードスイッチ１９の接点を開閉させるに充分な磁力を有した永久磁石２２を固設して浮遊体８が水中に浮遊した状態であればフロート空間２０の内部でフロート２１が水に浮き、この状態でフロート２１の周囲に固設した永久磁石２２の磁力でリードスイッチ１９が閉路するようなフロート２１とリードスイッチ１９の位置関係に配置したものであり、このリードスイッチ１９の閉路の状態を図１５に示すように電気信号の変化としてマイクロコンピューター１５に入力して判断することで水の残水を検知（本図においては電源の電圧を電源側に配置された抵抗とＧＮＤ側に配置されたリードスイッチ１９で分圧していることで電圧信号がＨｉで渇水状態，Ｌｏで残水有りと判断）できるように構成したものである。
【０１０１】
上記構成により、給水タンク６中に水が残水している状態においては図１４ａに示すように浮遊体８に備えた加湿水検知手段１８を構成するフロート空間２０の内部のフロート２１もフロート空間２０の内部で水中に浮遊して外部から隔絶されたリードスイッチ１９の接点はフロート２１に固設された永久磁石２２の磁力を受けて閉路し、この閉路の状態を電気信号としてマイクロコンピューター１５に入力することでマイクロコンピューター１５では給水タンク６中の水の残水を判断する。さらに加湿の進行により給水タンク６中の水が消費されて渇水すると図１４ｂに示すようにフロート空間２０の内部のフロート２１もフロート空間２０の内の下部に移動することでリードスイッチ１９とフロート２１に固設された永久磁石２２の間隔も広がるためにリードスイッチ１９の接点はフロート２１に固設された永久磁石２２の磁力を受け無くなり開路して、この開路の状態は電気信号としてマイクロコンピューター１５に入力されることでマイクロコンピューター１５では給水タンク６中の水の渇水を判断する。この渇水の判断によりマイクロコンピューター１５は浮遊体発光手段１２の点灯を判断して蓄電手段１１に蓄えた電力を電力制御手段１３を介して浮遊体発光手段１２に供給することで浮遊体発光手段１２を構成する発光ダイオードは点灯することとなり使用者はこの発光している浮遊体８上の浮遊体発光手段１２を目視確認することで給水タンク６の内部に蓄えた水の渇水の状態を容易に把握できることとなる。
【０１０２】
また、図１６から図１９に示すように浮遊体８の構成基材８ａを紫外線光の照射を受けると可視光線を発して光る蛍光材２３で覆い、この浮遊体８を給水タンク６の外部から紫外線光で照らすための紫外線光照射手段２４を備えた構成とすることもできる。
【０１０３】
ここで、紫外線光照射手段２４（図上、鎖線で囲んだ範囲）は給水タンク６が加湿装置の本体を成す本体外郭１の定位置に配置された状態において給水タンク６の内部を外部から紫外線光（図上、２点鎖線間の範囲で表現）で照らせるように給水タンク６に近接した本体外郭１の筐体面の上部に配置した紫外線光を発する紫外線発光ＬＥＤ２５とこの紫外線発光ＬＥＤ２５に対して電力を供給する電源２６から構成したものである。
【０１０４】
ここで、浮遊体８を覆う蛍光材２３は硫化亜鉛を主成分とした紫外線光の照射により可視光の蛍光を発する一般的な無機蛍光顔料を樹脂中に分散させた蛍光樹脂を使用するものであり浮遊体８の構成基材８ａの全体をこの蛍光樹脂で覆い成形して、さらに蛍光樹脂の水分による劣化を防止するためにその周囲全体を耐水性が良好で紫外線光の透過性が高い透明な保護樹脂材２７、例えばアクリル樹脂材で薄く覆い成形したものである。
【０１０５】
ここで、紫外線発光ＬＥＤ２５は前記無機蛍光顔料を蛍光発光させることを可能とする紫外光領域の波長の光を照射する点と紫外線発光の人体への影響および安全面を考慮して選定するものであり、ここでは太陽光や蛍光灯光にも多く含まれ一般的に無害とされている波長が３２０〜４００ｎｍのＵＶ−Ａ帯域の光を照射できるものを選定するものである。
【０１０６】
ここで、紫外線発光ＬＥＤ２５に電力を供給する電源２６は詳細な説明は省くが商用電源を降圧整流して安定化させた一般的な安定化電源回路で構成したものである。
【０１０７】
上記構成により、給水タンク６に浮遊しているの蛍光材２３で構成基材８ａを覆われた浮遊体８のみが加湿装置の本体を成す本体外郭１の筐体面に構成された紫外線光照射手段２４を成す電源２６からの電力の供給により紫外線光を発する紫外線発光ＬＥＤ２５からの紫外線光の照射を受けて可視光で発光することとなり、よってこの浮遊体８自体が発光することで周囲が暗い状況でも浮遊体８の認識性が高まるために使用者は給水タンク６の内部に蓄えた水の残量を把握し易くなるものである。
【０１０８】
なお、浮遊体８の構成基材８ａそのものを水に浮く浮力を有した蛍光材２３である蛍光樹脂で作成しても同様の効果を果たせることは言うまでもない。
【０１０９】
また、図２０から図２２に示すような浮遊体駆動手段２８を備えることで給水タンク６の内部の浮遊体８を加湿ための水中に浮遊した状態で動かすこともできる。
【０１１０】
ここで、浮遊体駆動手段２８は磁力を応用することで給水タンク６の内部で浮遊体８を非接触で動かすように構成したものであり浮遊体８の周囲に浮遊体８の浮力を損なわない程度の永久磁石２９を固設して、この浮遊体８の周囲の永久磁石２９に対して給水タンク６が本体外郭１の内部の加湿水皿４に対して定位置に配置された状態で本体外郭１側の内部に電力を印加することで電磁気力を発生する電磁石３０を給水タンク６の縦方向に複数配置して、この複数配置した電磁石３０に対して不順位に通電を行う電磁石駆動手段３１を本体外郭１側の内部に配置して構成したものである。
【０１１１】
ここで、電磁石駆動手段３１は配置した複数の電磁石３０を不順位に駆動するためのタイミングをソフトウェアー的に生成するようにプログラミングしたマイクロコンピューター３２とこのマイクロコンピューター３２で生成した駆動のタイミングで各電磁石３０に対する電力印加を入り切りする複数のスイッチ素子３３とマイクロコンピューター３２と電磁石３０に対して電力を供給する電源２６ａで構成したものである。
【０１１２】
ここで、マイクロコンピューター３２は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターを使用するものである。
【０１１３】
ここで、電源２６ａは詳細な説明は省くが商用電源を降圧整流して安定化させた一般的な安定化電源回路で構成したものである。
【０１１４】
ここで、スイッチ素子３３はマイクロコンピューター３２で生成した駆動のタイミングの電圧信号で電磁石３０に対する電源２６ａからの電力印加を入り切りするように一般的な電力変換素子であるトランジスターを使用して構成するものである。
【０１１５】
上記構成により内部の水中に浮遊体８を浮遊させた給水タンク６を本体外郭１の内部の加湿水皿４に対して定位置に配置した状態において本体外郭１側に構成された浮遊体駆動手段２８の主体を成す複数の電磁石３０に対して電磁石駆動手段３１を構成するマイクロコンピューター１５ａで生成したタイミングで電源２６ａの電力がスイッチ素子３３の介して順次印加され、この各電磁石３０に対する電力の印加により発生した電磁気力が浮遊体８の周囲に固設された永久磁石２９に対して作用（引力あるいは斥力が働く）することで浮遊体８は水中に浮遊した状態で無作為的に動くこととなる。
【０１１６】
なお、マイクロコンピューター１５ａで生成するそれぞれの電磁石３０の駆動タイミングを無作為に駆動順位を並べた一覧を繰り返す疑似ランダムや、あるいはソフトウェアーの言語で準備されるランダム関数を使用して順不同化することで各電磁石３０への電力印加自体を無作為化することも可能であり、この方法により水中に浮遊した浮遊体８の動きをより自然にすることも可能である。
【０１１７】
よって、給水タンク６中の水中に浮遊している状態で動く浮遊体８の動きにより使用者の注意をより引きつけ易くすることで、浮遊体８を目視確認させて給水タンクの内部に蓄えた水の残量を把握させる構成において使用者の認識し易さをより向上させた加湿装置の給水タンク用残水表示方法を提供できる。
【０１１８】
また、図２３に示すように浮遊体８の形状を植物や動物の自然形状、あるいは潜水艦等の人工物の具象形状とすることもできる。
【０１１９】
ここで、浮遊体８の形状は抽象的な形体と異なり世間一般的に良く知られ見慣れていることで意識に残っている具象的な形体が適しており、使用者に対して加湿のための水に意識的に注意を引きつける効果を考慮して特に水そのものや水に関連したものを使用者に連想させる形状が最適であり、例えば自然物においては魚やクラゲや海草などの動植物形状、また人工物においては潜水艦やアクアラング装備などの形状とするものである。
【０１２０】
このように浮遊体の形状を抽象的な形体と異なる一般的に見慣れた具体性のある植物や動物の自然形状、あるいは潜水艦等の人工物の具象形状として使用者の注意をより引きつけ易くすることで、浮遊体を目視確認させて給水タンクの内部に蓄えた水の残量を把握させる構成において使用者の認識し易さをより向上させた加湿装置の給水タンク用残水表示方法を提供できる。
【０１２１】
また、図２４に示すように浮遊体８の構成基材８ａの表面を撥水性材３４で覆うこともできる。
【０１２２】
ここで、浮遊体８は構成基材８ａとしてＡＢＳ樹脂やポリエチレン樹脂で成形したもであるがその表面全体を撥水性材３４で覆いできるだけ直接的な水分の付着を避けることで細菌等の繁殖を抑制する機能を持たせるものである。撥水性材３４としては耐水性が高く長期的に撥水作用を持続するポリテトラフルオロエチレン等のフッ素系樹脂を使用するものである。
【０１２３】
このように浮遊体８の構成基材８ａの表面を撥水性材３４で覆うことで浮遊体８が加湿のために水中に浮遊した状態においても表面に細菌やカビが繁殖することを抑制する機能を持たせることができる。
【０１２４】
また、図２５に示すように浮遊体８の構成基材８ａの表面を抗菌材３５で覆うこともできる。
【０１２５】
ここで、浮遊体８は構成基材８ａとしてＡＢＳ樹脂やポリエチレン樹脂で成形したもであるがその表面全体を抗菌材３５で覆うことで細菌等の繁殖を抑制する機能を持たせるものである。
【０１２６】
ここで、抗菌材３５としては強い抗菌性と人体への毒性が比較的に少ないことで一般的に広く用いられている銀や銅などの金属イオン（例えばＡｇ＋，Ｃｕ２＋，Ｚｎ２＋）の機能を活用したものであり、これらの金属イオンを微細化、またコロイド化して浮遊体８の構成基材８ａと同様の樹脂中に分散させたものを使用し、浮遊体８の成型時に同時成形することで形成するものである。
【０１２７】
このように浮遊体８の構成基材８ａの表面を抗菌材３５で覆うことで浮遊体８が加湿のための水中に浮遊した状態においても表面に細菌やカビが繁殖することを抑制する機能を持たせることができる。
【０１２８】
また、図２６に示すように浮遊体８の構成基材８ａの表面を有機物に対する分解作用を有した光触媒材３６で覆うことで細菌等の繁殖を抑制する機能を持たせることもできる。
【０１２９】
ここで、光触媒材３６は太陽光線や蛍光灯の光に含まれる紫外線光を受けることで強力な酸化力を有したＯＨラジカルを生成する酸化チタンを使用するものであり浮遊体８の表面をこの酸化チタンで覆うことで生成されるＯＨラジカルの強力な酸化作用により浮遊体８の表面に付着する有機物を分解させる作用を付加させるものである。
【０１３０】
なお、浮遊体８は構成基材８ａとしてＡＢＳ樹脂やポリエチレン樹脂で成形するものであるが表面に塗布した光触媒材３６は浮遊体８の構成基材８ａそのものにも酸化腐食の作用を有するために構成基材８ａそのものが腐食しないように構成基材８ａの表面全体を一旦、酸化作用に対して耐性を有するシリコン樹脂を主体とした保護材３７で覆いこの保護材３７で覆った表面に対してシリコン樹脂をバインダーとして酸化チタンを塗布する構成としている。
【０１３１】
このように浮遊体８の構成基材８ａの表面を光触媒材３６で覆うことで浮遊体８が加湿のための水中に浮遊した状態において通常使用における太陽光や蛍光灯光の暴露により光触媒材３６の表面に有機物を分解させる酸化作用が生じるために、よって浮遊体８の表面において細菌やカビの繁殖に対する抑制機能を発揮させることができる。
【産業上の利用可能性】
【０１３２】
本発明の加湿装置の給水タンク用残水表示方法は加湿装置での利用のみならず、タンクや水槽内に水を蓄えて、この蓄えた水の量を使用者に把握させたい必然性がある可搬設置型の装置での活用が考えられ、例えば除湿装置等の用途としても有用である。
【図面の簡単な説明】
【０１３３】
【図１】本発明の実施の形態１の給水タンク用残水表示方法を示す側視断面図
【図２】同給水タンク用残水表示方法の斜視図
【図３】同給水タンク用残水表示方法の給水タンクの構成を示す側視断面図
【図４】同給水タンク用残水表示方法の浮遊体を蓄光材で覆った状態の構成を示す側視断面図
【図５】同給水タンク用残水表示方法の浮遊体の構成を示す構成図
【図６】同給水タンク用残水表示方法の浮遊体の構成を示したブロック図
【図７】同給水タンク用残水表示方法の浮遊体の回路を示した概略回路構成図
【図８】同給水タンク用残水表示方法の浮遊体の浮遊体発光手段におけるソフトウェアーで規定する点灯表示動作の仕様を示した図
【図９】同給水タンク用残水表示方法の浮遊体の浮遊体発光手段におけるソフトウェアーで規定する点滅表示動作の仕様を示した図
【図１０】同給水タンク用残水表示方法の浮遊体の浮遊体発光手段におけるソフトウェアーで規定するパルス点灯表示動作の仕様を示した図
【図１１】同給水タンク用残水表示方法の浮遊体の浮遊体発光手段におけるソフトウェアーで規定する１／ｆ揺らぎ点灯についての概念を示した図
【図１２】同給水タンク用残水表示方法の浮遊体の構成を示す側視断面図
【図１３】同給水タンク用残水表示方法の浮遊体の構成を示したブロック図
【図１４】同給水タンク用残水表示方法の浮遊体の加湿水検知手段の働きを示した測視断面図（（ａ）水中に浮遊した状態を示す図、（ｂ）渇水した状態を示す図）
【図１５】同給水タンク用残水表示方法の浮遊体の回路を示した概略回路構成図
【図１６】同給水タンク用残水表示方法の浮遊体を蛍光材で覆った状態の構成を示す側視断面図
【図１７】同給水タンク用残水表示方法の紫外線光照射手段の配置構成を示した側視断面図
【図１８】同給水タンク用残水表示方法の紫外線光照射手段の配置構成部分を拡大し示した側視断面図
【図１９】同給水タンク用残水表示方法の紫外線光照射手段の回路構成を示した概略回路構成図
【図２０】同給水タンク用残水表示方法の浮遊体駆動手段の構成を示す側視断面図
【図２１】同給水タンク用残水表示方法の浮遊体駆動手段で動かす浮遊体の構成を示した側視断面図
【図２２】同給水タンク用残水表示方法の浮遊体駆動手段の回路構成を示した概略回路構成図
【図２３】同給水タンク用残水表示方法の給水タンクの中の浮遊体を具象形状としたときの一例を示した側視断面図
【図２４】同給水タンク用残水表示方法の浮遊体を撥水性材で覆った状態の構成を示す側視断面図
【図２５】同給水タンク用残水表示方法の浮遊体を抗菌材で覆った状態の構成を示す側視断面図
【図２６】同給水タンク用残水表示方法の浮遊体を光触媒材で覆った状態の構成を示す側視断面図
【図２７】従来例の加湿装置の給水タンク用残水表示方法を示す図
【図２８】他の従来例の加湿装置の給水タンク用残水表示方法を示す図
【符号の説明】
【０１３４】
６    給水タンク
８    浮遊体
９    蓄光材
１０  太陽電池
１１  蓄電手段
１２  浮遊体発光手段
１３  電力制御手段
１４  照度検知手段
１８  加湿水検知手段
２３  蛍光材
２４  紫外線光照射手段
２８  浮遊体駆動手段
３４  撥水性材
３５  抗菌材
３６  光触媒材
【図１】
2008116157.tif 000003
【図２】
2008116157.tif 000004
【図３】
2008116157.tif 000005
【図４】
2008116157.tif 000006
【図５】
2008116157.tif 000007
【図６】
2008116157.tif 000008
【図７】
2008116157.tif 000009
【図８】
2008116157.tif 000010
【図９】
2008116157.tif 000011
【図１０】
2008116157.tif 000012
【図１１】
2008116157.tif 000013
【図１２】
2008116157.tif 000014
【図１３】
2008116157.tif 000015
【図１４】
2008116157.tif 000016
【図１５】
2008116157.tif 000017
【図１６】
2008116157.tif 000018
【図１７】
2008116157.tif 000019
【図１８】
2008116157.tif 000020
【図１９】
2008116157.tif 000021
【図２０】
2008116157.tif 000022
【図２１】
2008116157.tif 000023
【図２２】
2008116157.tif 000024
【図２３】
2008116157.tif 000025
【図２４】
2008116157.tif 000026
【図２５】
2008116157.tif 000027
【図２６】
2008116157.tif 000028
【図２７】
2008116157.tif 000029
【図２８】
2008116157.tif 000030